(57)【要約】【課題】  接地線によって接地栓刃挿入口への栓刃の挿入が妨げられることを防ぐことができるコンセントを提供する。【解決手段】  接地端子２とともに接地導電ブロックＥＢを構成する接地導電板５ｃに、前方（図における上方）に突出して接地栓刃挿入口１０ｃと接地端子２との間に位置する仕切り部５６を設けた。接地栓刃挿入口１０ｃへの接地線ＥＣの進入が仕切り部５６によって阻止されるから、接地栓刃挿入口１０ｃへの接地極の栓刃Ｐｃの挿入が接地線ＥＣによって妨げられることを防ぐことができる。【選択図】図１
2008186638.tif 000002
【特許請求の範囲】
【請求項１】
熱硬化性樹脂からなり、接地側極の栓刃が挿入される接地側栓刃挿入口、電圧側極の栓刃が挿入される電圧側栓刃挿入口、接地側栓刃挿入口及び電圧側栓刃挿入口が設けられた面と同じ側の面に設けられた接地端子収納凹部、並びに、接地端子収納凹部の内側に設けられて接地極の栓刃が挿入される接地栓刃挿入口を有するハウジングと、
導電材料からなり、接地栓刃挿入口に挿入された栓刃に接触導通する接地刃受け部、並びに、接地端子収納凹部に収納されて接地線が接続される接地端子部を有し、ハウジングに収納された接地導電ブロックと、
接地導電ブロックの接地端子部を覆い且つ接地栓刃挿入口を露出させる閉位置と、接地導電ブロックの接地端子部を露出させる開位置との間で、ハウジングに対して変位自在に取り付けられた扉体とを備え、
接地導電ブロックには、接地端子に接続された接地線の接地栓刃挿入口への進入を阻止する仕切り部が設けられていることを特徴とするコンセント。
【請求項２】
仕切り部は、接地栓刃挿入口内へ弾性的に突出して接地刃受け部を兼ねることを特徴とする請求項１記載のコンセント。
【請求項３】
仕切り部の端部であって接地栓刃挿入口から栓刃を抜く方向での端部には、接地栓刃挿入口に臨む面が、接地栓刃挿入口から栓刃を抜く方向へ向かって接地栓刃挿入口から離れる方向へ傾斜したガイド部が設けられていることを特徴とする請求項１又は請求項２記載のコンセント。
【請求項４】
接地導電ブロックは、接地刃受け部が設けられた接地導電板と、接地端子とからなり、
接地端子は、接地導電板に機械的且つ電気的に接続される接地端子板と、接地端子板に螺合する端子ねじと、接地端子板よりも接地端子収納凹部の底面から離れた側に位置し端子ねじによって接地端子板に押し付けられて接地端子板との間に接地線を挟持する座金とからなり、
接地端子板は、金属板からなり、厚さ方向を接地端子収納凹部の深さ方向に向けて端子ねじが螺合するねじ穴が厚さ方向に貫設された本体部と、それぞれ本体部の厚さ方向に直交する方向での端部であって接地栓刃挿入口に近い側の端部が接地端子収納凹部の底面に近づく方向に曲げられることによって形成され接地導電板に連結される２個の脚部と、脚部に挟まれた部位が切り起こされることによって形成された仕切り部とを有し、
接地端子板には、接地端子収納凹部の底面と仕切り部との間に位置して脚部間を連結する梁部が設けられていることを特徴とする請求項１〜３のいずれか１項に記載のコンセント。
【請求項５】
接地導電ブロックは、接地刃受け部が設けられた接地導電板と、接地端子とからなり、
接地端子は、接地導電板に機械的且つ電気的に接続される接地端子板と、接地端子板に螺合する端子ねじと、接地端子板よりも接地端子収納凹部の底面から離れた側に位置し端子ねじによって接地端子板に押し付けられて接地端子板との間に接地線を挟持する座金とからなり、
接地端子板は、金属板からなり、厚さ方向を接地端子収納凹部の深さ方向に向けて端子ねじが螺合するねじ穴が厚さ方向に貫設された本体部と、それぞれ本体部の厚さ方向に直交する方向での端部であって接地栓刃挿入口に近い側の端部が接地端子収納凹部の底面に近づく方向に曲げられることによって形成され接地導電板に連結される２個の脚部と、各脚部と本体部とにそれぞれ連結された梁部と、梁部から接地端子収納凹部の底面に近づく方向に延長された部位が曲げ起こされることによって形成された仕切り部とを有することを特徴とする請求項１〜３のいずれか１項に記載のコンセント。
【請求項６】
接地導電ブロックは、接地刃受け部が設けられた接地導電板と、接地端子とからなり、
接地端子は、接地導電板に機械的且つ電気的に接続される接地端子板と、接地端子板に螺合する端子ねじと、接地端子板よりも接地端子収納凹部の底面から離れた側に位置し端子ねじによって接地端子板に押し付けられて接地端子板との間に接地線を挟持する座金とからなり、
座金には仕切り部が設けられていることを特徴とする請求項１〜５のいずれか１項に記載のコンセント。
【発明の詳細な説明】
【技術分野】
【０００１】
本発明は、接地線が接続される接地端子を有するコンセントに関するものである。
【背景技術】
【０００２】
従来から、接地線が接続される接地端子を備えるコンセントが提供されている（例えば、特許文献１参照）。
【０００３】
本発明者は、この種のコンセントの小型化のため、図１７〜図１９に示すように、接地極の栓刃（図示せず）が接続される接地栓刃挿入口１０ｃを、接地端子２が収納された接地端子収納凹部１２内に設けることを提案している。以下、上下左右は図１７を基準とし、図１７の紙面手前方向を前方向と呼んで図１７〜図１９のコンセントについて詳しく説明する。つまり、図１９の上下方向を前後方向と呼び、図１９の左上−右下方向を左右方向と呼び、図１９の右上−左下方向を上下方向と呼ぶ。
【０００４】
このコンセントは、図１９に示すように、充電部が収納される収納凹部１１が前面に設けられたボディ１ａと、３個１組の栓刃挿入口１０が前面に上下に並べて２組設けられボディ１ａの前側に結合して収納凹部１１を覆うカバー１ｂとで構成されたハウジング１を備える。また、カバー１ｂの下端部には、後側の開口をボディ１ａに閉塞されて接地端子収納凹部１２を構成する接地端子穴１２ｂが前後に貫設されている。さらに、接地端子収納凹部１２に収納されて接地線が接続される接地端子２を備える。また、ハウジング１には、接地端子収納凹部１２を開閉する扉体３が取り付けられている。
【０００５】
ボディ１ａとカバー１ｂとは、それぞれ例えばユリア樹脂のような熱硬化性樹脂からなり、施工面（図示せず）への取付のための取付枠を兼ねた組立枠４により結合されている。組立枠４は、ＪＩＳ  Ｃ  ８３７５に規定された取付枠に準じた寸法及び形状に形成され、３個モジュール寸法に形成された露出穴４１を有する。露出穴４１の左右には、それぞれ係合穴４２ａが左右に貫設されてＵ字形状に形成された結合片４２が、上下に並べて２個ずつ後方へ突設されている。また、係合穴４２ａの内周の前端には、当接突起４３が後方へ突設されている。ボディ１ａ及びカバー１ｂの左右の側面には、それぞれ結合突起１３ａ，１３ｂが上下に並べて２個ずつ突設されていて、カバー１ｂの結合突起１３ｂの前面には凹部１３ｃが設けられている。そして、各結合突起１３ａ，１３ｂが組立枠４の係合穴４２ａに挿入され、組立枠４の当接突起４３がカバー１ｂの結合突起１３ｂの凹部１３ｃに挿入されるとともにボディ１ａの結合突起１３ａの後面が組立枠４の結合片４２に係止されることによって、カバー１ｂの前面が露出穴４１から露出する形でボディ１ａとカバー１ｂとは結合している。さらに、既に述べたように組立枠４は施工面への取付用の取付枠を兼ねているので、組立枠４の上下両端部にはそれぞれ施工面への取付用の取付片４４が設けられている。各取付片４４には、それぞれ施工面に埋込配設される周知の埋込ボックス（図示せず）への取付用のボックスねじが挿通される左右に長い長円形状のボックス穴４４ａと、ボックス穴４４ａの左右にそれぞれ位置し、施工面がパネル材で構成されている場合にそのパネル材を取付片との間で挟む周知のはさみ金具（図示せず）が取り付けられるＬ字形状のはさみ穴４４ｂと、ボックス穴４４ａの上下のうち外側に位置し、前方から見て組立枠４を覆うプレート枠（図示せず）を取り付けるためのねじが挿通されるプレート穴４４ｃと、プレート穴４４ｃの左右にそれぞれ位置し、施工面を構成する壁材に螺合する直付け用のねじが挿通される直付け穴４４ｄとが、それぞれ前後に貫設されている。
【０００６】
各栓刃挿入口１０は、それぞれＪＩＳ  Ｃ  ８３０３に規定された定格１２５Ｖ、１５Ａ用の接地極付きプラグ（図示せず）に対応した形状であって、電圧側極の栓刃が挿入される上下に長い電圧側栓刃挿入口１０ａと、電圧側栓刃挿入口１０ａの左側に設けられ電圧側栓刃挿入口１０ａよりも上下に長く接地側極の栓刃（図示せず）が挿入される接地側栓刃挿入口１０ｂと、電圧側栓刃挿入口１０ａと接地側栓刃挿入口１０ｂとに挟まれた位置の下側に設けられ接地極の栓刃（図示せず）が挿入される接地栓刃挿入口１０ｃとからなる。下側の栓刃挿入口１０の接地栓刃挿入口１０ｃは、接地端子収納凹部１２の内側において、接地端子穴１２ｂの上端に設けられ前後に開放された逆Ｕ字形状の接地栓刃挿通凹部１０ｄと接地端子２との間に構成されている。
【０００７】
また、収納凹部１１には、収納凹部１１を左右に並んだ３個の収納室１１ａ〜１１ｃに仕切る仕切り突起１１ｄが突設されている。右側の収納室１１ａには電圧側極の充電部となる電圧側導電板５ａが収納され、左側の収納室１１ｂには接地側極の充電部となる接地側導電板５ｂが収納され、中央の収納室１１ｃには接地極の充電部となる接地導電板５ｃが収納されている。各導電板５ａ〜５ｃはそれぞれ金属板に打ち抜き加工と曲げ加工とが施されてなる。
【０００８】
電圧側導電板５ａ及び接地側導電板５ｂは、図２０に示すように、上下に並べて２個設けられそれぞれ後向きＵ字形状の端子部５１と、端子部５１の上下両側に設けられそれぞれ栓刃挿入口１０ａ，１０ｂから挿入された栓刃を厚さ方向（左右方向）の両側から弾性的に挟持する２個の刃受け部５２とを有する。
【０００９】
また、接地導電板５ｃは、図２１に示すように、上下に２個並べて設けられそれぞれ接地栓刃挿入口１０ｃから挿入された接地極の栓刃を左右両側から弾性的に挟持する接地刃受け部５３と、接地刃受け部５３間を連結する刃受け連結部５４と、刃受け連結部５４の下端から前方へ突設された端子連結部５５と、端子連結部５５の左右両端にそれぞれ設けられ設けられそれぞれ後向きＵ字形状の２個の端子部５１とを有する。連結部５４は、厚さ方向を前後方向に向けた上下に長い底部５４ａと、機械的強度の向上のために底部５４ａの左右両端からそれぞれ前方へ突設された補強リブ５４ｂと、補強リブ５４ｂの上端付近から前方へ突設されカバー１ｂの後面に当接する浮き止め部５４ｃとからなる。浮き止め部５４ｃは、栓刃が抜かれる際に接地刃受け部５３が前方へ引張られても接地導電板５ｃがハウジング１に対して前方に変位してしまうことを防ぐものである。
【００１０】
また、各導電板５ａ〜５ｃの端子部５１は、ボディ１ａに前後に貫設された電線挿入穴（図示せず）から導入された電線（図示せず）が接触導通する部位であって、端子部５１の内側に配置されて端子部５１の内面との間に上記電線を鎖錠する鎖錠ばね６１と、鎖錠ばね６１の鎖錠を解除するための解除釦６２とともに速結端子を構成する。具体的に説明すると、鎖錠ばね６１は例えば金属製の板ばねからなり、図２０に示すように、端子部５１の内面であって左右方向の内側の面に当接する本体部６１ａと、本体部６１ａの後端（図２０における下端）から左右方向の外向きにＵ字形状に曲成され前方へ向かって左右方向の外向きに傾斜し電線に食込むことにより抜け止め（鎖錠）する鎖錠部６１ｂとを有する。なお、図２０には、６個の端子部５１に１個ずつ設けられた鎖錠ばね６１のうち、電圧側導電板５ａ及び接地側導電板５ｂに対応する計４個の鎖錠ばね６１のみを図示している。また、解除釦６２は、図２２に示すように、ハウジング１の外側に位置する操作表示部６２ａと、操作表示部６２ａから上下に２個並べて内向きに突設された脚部６２ｂとを有する。ボディ１ａの収納凹部１１の左右両側には、収納凹部１１の内外に連通しボディ１ａの前方に開放されてカバー１ｂの後面との間で収納凹部１１の内外に連通した貫通穴を構成する切り欠き１１ｅが設けられており、解除釦６２は各脚部６２ｂがそれぞれ切り欠き１１ｅに挿通されることによりハウジング１に対して前後に変位可能に支持されている。ボディ１ａの左右の側面は、それぞれ前後方向の中央部を外側へ膨出させる曲面となっており、解除釦６２は、前後への変位時に操作表示部６２ａが上記曲面上を摺動することにより、前方への変位に伴って脚部６２ｂの収納凹部１１内への突出寸法を大きくするように僅かに回動する。
【００１１】
また、解除釦６２の各脚部６２ｂは収納凹部１１内においてそれぞれ鎖錠ばね６１に臨んでいる。電線が鎖錠ばね６１に鎖錠されているときに、操作表示部６２ａが前方へ変位するように操作されると、各脚部６２ｂが上記電線を挟んで互いに異なる側においてそれぞれ鎖錠ばね６１を押圧して弾性変形させることにより鎖錠が解除される。
【００１２】
さらに、解除釦６２は、収納凹部１１に収納された板ばねからなる表示ばね（図示せず）によってハウジング１に対して後向き（すなわち鎖錠解除時に操作される向きの逆向き）に付勢されている。端子部５１においてボディ１ａの電線挿入穴の前側には電線挿通穴５１ａが前後に貫設され、この電線挿通穴５１ａに対して左右方向の外側には係止突起５１ｂが前方へ突設されている。ここで、解除釦６２は、ハウジング１内で脚部６２ｂに挟まれる位置の前側に位置して掛止突起５１ｂに係脱自在に係止される被係止部６２ｃを有する。
【００１３】
そして、解除釦６２は、鎖錠ばね６１に電線が鎖錠されていない状態では、可動範囲の前側端部に位置し、被係止部６２ｃが係止突起５１ｂに係止されることで後方への移動を禁止されている。この状態で、電線挿入穴から挿入された電線が電線挿通穴５１ａを通過して被係止部６２ｃを前方へ押圧し、係止突起５１ｂの被係止部６２に対する係止が解除されると、解除釦６２は表示ばねのばね力によって一気に後方へ変位する。これを見て、使用者は電線の接続の完了を明確に知ることができる。
【００１４】
また、扉体３は例えば合成樹脂成形品からなり、図２３に示すように、接地端子収納凹部１２を覆う覆い部３１と、左右に並べて２個設けられそれぞれハウジング１に結合する結合部３２と、各結合部３２と覆い部３１との間にそれぞれ介在して他の部位よりも薄肉に形成されて覆い部３１を結合部３２に対して左右方向から見て回動可能に支持する連結部３３とを備える。各結合部３２の先部には、それぞれ左右方向であって他方の結合部３２に近付く方向に係合爪３２ａが突設されている。カバー１ｂにおいて接地端子穴１２ｂの上側には結合穴１４が左右に並べて２個、前後に貫設されており、扉体３は結合穴１４に結合部３２が挿通されて各係合爪３２ａがそれぞれカバー１ｂの後面に係合することにより、扉体３はハウジング１に結合している。また、覆い部３１の下端には、接地端子２に接続された接地線ＥＣが挿通される穴を接地端子収納凹部１２の下端との間に形成する挿通切り欠き３１ａが、左右に並べて２個設けられている。
【００１５】
さらに、覆い部３１の左右両端部には、扉体３を閉じた状態における後方へそれぞれ被係止凸部３４が突設され、各被係止突部３４には、それぞれ扉体３を閉じた状態における下方へ被係止爪３４ａが突設されている。扉体３を閉じた状態では、被係止爪３４ａがカバー１ｂの後面に係脱自在に係止されることにより、扉体３を開く方向への覆い部３１の回動が禁止される。被係止爪３４ａの係脱は、覆い部３１に力を加えて被係止凸部３４を弾性変形させることにより行う。
【００１６】
また、本体部３１の左右両端部において被係止凸部３４の上側には、それぞれ被制限凸部３５が突設されている。接地端子穴１２ｂの内面には、扉体３を閉じた状態で被制限凸部３５が係入する制限凹部１２ｄが設けられている。扉体３の本体部３１が閉位置において下向きの力を受けた場合、制限凹部１２ｄの下側の内面に被制限凸部３５が当接することにより、ハウジング１に対する本体部３１の下方への変位は禁止され、被係止凸部３４に応力がかかりにくくなって被係止凸部３４の破損が抑制されている。
【００１７】
また、本体部３１の上端部において左右方向の中央部には、ガイド突起３６が後方へ突設されている。ガイド突起３６が設けられていることにより、プラグの接続時には接地極の栓刃がガイド突起３６によってガイドされるから、ガイド突起３６を設けない場合に比べて接地極の栓刃が接地端子収納凹部１２の内面や接地端子２に引っかかりにくくなっている。また、ガイド突起３６により、扉体３の機械的強度が向上して破損が抑制されている。
【００１８】
次に、接地端子２について説明する。接地端子２は、ねじ穴２１ａが前後に貫設された接地端子板２１と、接地端子板２１のねじ穴２１ａに螺合する端子ねじ２２と、接地端子板２１のねじ穴２１ａに螺合する端子ねじ２２の螺合部２２ａが挿通されるねじ挿通穴２３ａが前後に貫設され端子ねじ２２の頭部２２ｂと接地端子板２１との間に挟まれ接地線ＥＣを接地端子板２１との間に挟持する座金２３とを備える。接地端子板２１及び座金２３は、それぞれ例えば金属板に打ち抜き加工と曲げ加工とが施されてなる。
【００１９】
接地端子板２１は、ねじ穴２１ａが貫設された左右に長い長方形状の本体部２１ｂと、本体部２１ｂの外周からそれぞれ後方（図２１の下方）へ突設された脚部２１ｃ，２１ｄ，２１ｅとを備える。本体部２１ｂにおいて、ねじ穴２１ａが設けられた部位にはバーリング加工が施されており、図２４に示すようにねじ穴２１ａの周囲は後方へ円環形状に突出している。また、上側（図２１の手前側）の脚部２１ｃにおいて、後端の中央部には切り欠き２１ｆが設けられて後端部が２又に分かれており、分かれた２個の後端部からそれぞれ上方に取付部２１ｇが突設されている。各取付部２１ｇにはそれぞれかしめ穴２１ｈが前後に貫設されており、接地導電板５ｃの各端子部５１にはそれぞれ前面（図２１の上面）にかしめ突起５１ｃが突設されていて、かしめ突起５１ｃがかしめ穴２１ｈに挿通されかしめられることにより、接地端子板２１は接地導電板５ｃに機械的且つ電気的に接続されている。ここにおいて、接地端子２は接地導電板５ｃとともに接地導電ブロックＥＢを構成する。また、上側の脚部２１ｃの左前端部から左側の取付部２１ｇにかけてと、上側の脚部２１ｃの右端部から右側の取付部２１ｇにかけてとがそれぞれ請求項における脚部であり、上側の脚部２１ｃの前端部であって左右方向の中央部が請求項における梁部である。
【００２０】
座金２３は、前方から見て左右に長い長方形状の右下端部と左下端部とにそれぞれ矩形状の導入切り欠き２３ｂが設けられた形状となっている。また、導入切り欠き２３ｂの上側において、座金２３の四隅付近がそれぞれ後方へ曲げられることにより、それぞれ左右の端に近い位置ほど後方への突出寸法が大きい抜け止め突起２３ｃ，２３ｄが設けられている。上側の抜け止め突起２３ｃは、座金２３において前方から見た導入切り欠き２３ｂの深さ方向すなわち上方向の端に位置する。
【００２１】
接地線ＥＣを接地端子２に接続したとき、すなわち座金２３と接地端子板２１との間に接地線ＥＣを挟持したときには、各抜け止め突起２３ｃ，２３ｄがそれぞれ接地線ＥＣに食い込むことにより、接地線ＥＣの脱落が防止される。また、各抜け止め突起２３ｃ，２３ｄの後方への突出寸法はそれぞれ左右の端に近い位置ほど大きくなっているから、接地線ＥＣが左右に脱落しにくい。
【００２２】
ここで、接地端子板２１の左右両端には、それぞれ上側の脚部２１ｃの前端部の左右の寸法を本体部２１ｂの左右の寸法よりも小さくする切り欠き２１ｉが設けられている。この切り欠き２１ｉにより、本体部２１ｂの左右両端部において上端面と前面との間には角が形成されていて、この角が接地線ＥＣに食い込むことにより、接地線ＥＣがさらに脱落しにくくなっている。
【００２３】
また、端子ねじ２２は、座金２３が着脱不可能に付随した座金付きねじとなっている。つまり、端子ねじ２２は、ねじ山を有する螺合部２２ａと頭部２２ｂとの間に、螺合部２２ａよりも外径が小さく座金２３のねじ挿通穴２３ａに挿通される細径部２２ｃを有する。また、座金２３のねじ挿通穴２３ａの内径は端子ねじ２２の螺合部２２ａの外径よりも小さく、座金２３の脱落は螺合部２２ａによって防止されている。さらに、細径部２２ｃの軸方向（前後方向）での長さ寸法は座金２３の厚さ寸法と略同じとしてある。これにより、端子ねじ２２の左右の片側でのみ座金２３と接地端子板２１との間に接地線ＥＣを挟んだ場合にも、座金２３の接地端子板２１に対する傾きやがたつきが抑えられ、座金２３及び接地端子板２１と接地線ＥＣとの接触面積が確保されている。
【００２４】
さらに、カバー１ｂにおいて、座金２３の導入切り欠き２３ｂの下側となる各部には、それぞれ前面が上方へ向かって後方へ傾斜したガイド部１２ｃが設けられている。すなわち、ガイド部１２ｃの前面に沿って接地線ＥＣを挿入することにより、座金２３と接地端子板２１との間に容易に接地線ＥＣを導入することができる。
【００２５】
上記のように下側の接地栓刃挿入口１０ｃを接地端子収納凹部１２の内側に設ければ、下側の接地栓刃挿入口１０ｃを接地端子収納凹部１２の外側に設ける場合に比べ、接地端子２と接地栓刃挿入口１０ｃとの距離が小さくなるから小型化が可能となり、上記の例においては２組の栓刃挿入口１０と接地端子２とを備えつつもＪＩＳ  Ｃ  ８３７５に規定された取付枠に準じた寸法形状の組立枠４を使用可能となっている。
【特許文献１】特開平１０−１３４８９４号公報
【発明の開示】
【発明が解決しようとする課題】
【００２６】
しかし、図２５に示すように、接地端子２に接続された接地線ＥＣが接地栓刃挿入口１０ｃ内まで突出し、この接地線ＥＣによって栓刃の挿入が妨げられることがあった。
【００２７】
本発明は、上記事由に鑑みて為されたものであり、その目的は、接地線によって接地栓刃挿入口への栓刃の挿入が妨げられることを防ぐことができるコンセントを提供することにある。
【課題を解決するための手段】
【００２８】
請求項１の発明は、熱硬化性樹脂からなり、接地側極の栓刃が挿入される接地側栓刃挿入口、電圧側極の栓刃が挿入される電圧側栓刃挿入口、接地側栓刃挿入口及び電圧側栓刃挿入口が設けられた面と同じ側の面に設けられた接地端子収納凹部、並びに、接地端子収納凹部の内側に設けられて接地極の栓刃が挿入される接地栓刃挿入口を有するハウジングと、導電材料からなり、接地栓刃挿入口に挿入された栓刃に接触導通する接地刃受け部、並びに、接地端子収納凹部に収納されて接地線が接続される接地端子部を有し、ハウジングに収納された接地導電ブロックと、接地導電ブロックの接地端子部を覆い且つ接地栓刃挿入口を露出させる閉位置と、接地導電ブロックの接地端子部を露出させる開位置との間で、ハウジングに対して変位自在に取り付けられた扉体とを備え、接地導電ブロックには、接地端子に接続された接地線の接地栓刃挿入口への進入を阻止する仕切り部が設けられていることを特徴とする。
【００２９】
この発明によれば、仕切り部により、接地栓刃挿入口内への接地線の進入が阻止されるから、接地線によって接地栓刃挿入口への栓刃の挿入が妨げられることを防ぐことができる。
【００３０】
請求項２の発明は、請求項１の発明において、仕切り部は、接地栓刃挿入口内へ弾性的に突出して接地刃受け部を兼ねることを特徴とする。
【００３１】
この発明によれば、仕切り部と接地刃受け部とを別途に設ける場合に比べて接地導電ブロックの構造を単純化して製造コストを低減することができる。
【００３２】
請求項３の発明は、請求項１又は請求項２の発明において、仕切り部の端部であって接地栓刃挿入口から栓刃を抜く方向での端部には、接地栓刃挿入口に臨む面が、接地栓刃挿入口から栓刃を抜く方向へ向かって接地栓刃挿入口から離れる方向へ傾斜したガイド部が設けられていることを特徴とする。
【００３３】
この発明によれば、ガイド部により栓刃がガイドされるから、ガイド部を設けない場合に比べ、接地栓刃挿入口への栓刃の挿入が容易となる。
のコンセント。
【００３４】
請求項４の発明は、請求項１〜３のいずれかの発明において、接地導電ブロックは、接地刃受け部が設けられた接地導電板と、接地端子とからなり、接地端子は、接地導電板に機械的且つ電気的に接続される接地端子板と、接地端子板に螺合する端子ねじと、接地端子板よりも接地端子収納凹部の底面から離れた側に位置し端子ねじによって接地端子板に押し付けられて接地端子板との間に接地線を挟持する座金とからなり、接地端子板は、金属板からなり、厚さ方向を接地端子収納凹部の深さ方向に向けて端子ねじが螺合するねじ穴が厚さ方向に貫設された本体部と、それぞれ本体部の厚さ方向に直交する方向での端部であって接地栓刃挿入口に近い側の端部が接地端子収納凹部の底面に近づく方向に曲げられることによって形成され接地導電板に連結される２個の脚部と、脚部に挟まれた部位が切り起こされることによって形成された仕切り部とを有し、接地端子板には、接地端子収納凹部の底面と仕切り部との間に位置して脚部間を連結する梁部が設けられていることを特徴とする。
【００３５】
この発明によれば、梁部を設けない場合に比べ、接地端子板の機械的強度が向上するから、端子ねじの締め付け時に接地端子板が変形しにくくなる。
【００３６】
請求項５の発明は、請求項１〜３のいずれかの発明において、接地導電ブロックは、接地刃受け部が設けられた接地導電板と、接地端子とからなり、接地端子は、接地導電板に機械的且つ電気的に接続される接地端子板と、接地端子板に螺合する端子ねじと、接地端子板よりも接地端子収納凹部の底面から離れた側に位置し端子ねじによって接地端子板に押し付けられて接地端子板との間に接地線を挟持する座金とからなり、接地端子板は、金属板からなり、厚さ方向を接地端子収納凹部の深さ方向に向けて端子ねじが螺合するねじ穴が厚さ方向に貫設された本体部と、それぞれ本体部の厚さ方向に直交する方向での端部であって接地栓刃挿入口に近い側の端部が接地端子収納凹部の底面に近づく方向に曲げられることによって形成され接地導電板に連結される２個の脚部と、各脚部と本体部とにそれぞれ連結された梁部と、梁部から接地端子収納凹部の底面に近づく方向に延長された部位が曲げ起こされることによって形成された仕切り部とを有することを特徴とする。
【００３７】
この発明によれば、梁部を設けない場合に比べ、接地端子板の機械的強度が向上するから、端子ねじの締め付け時に接地端子板が変形しにくくなる。
【００３８】
請求項６の発明は、請求項１〜５のいずれかの発明において、接地導電ブロックは、接地刃受け部が設けられた接地導電板と、接地端子とからなり、接地端子は、接地導電板に機械的且つ電気的に接続される接地端子板と、接地端子板に螺合する端子ねじと、接地端子板よりも接地端子収納凹部の底面から離れた側に位置し端子ねじによって接地端子板に押し付けられて接地端子板との間に接地線を挟持する座金とからなり、座金には仕切り部が設けられていることを特徴とする。
【発明の効果】
【００３９】
請求項１の発明によれば、接地導電ブロックに設けた仕切り部により、接地栓刃挿入口内への接地線の進入が阻止されるから、接地線によって接地栓刃挿入口への栓刃の挿入が妨げられることを防ぐことができる。
【００４０】
請求項２の発明によれば、仕切り部が接地刃受け部を兼ねることにより、仕切り部と接地刃受け部とを別途に設ける場合に比べて接地導電ブロックの構造を単純化して製造コストを低減することができる。
【００４１】
請求項３の発明によれば、栓刃をガイドするガイド部を仕切り部に設けたことにより、ガイド部を設けない場合に比べて接地栓刃挿入口への栓刃の挿入が容易となる。
【００４２】
請求項４の発明によれば、接地端子板には、接地端子収納凹部の底面と仕切り部との間に位置して脚部間を連結する梁部が設けられているので、梁部を設けない場合に比べ、接地端子板の機械的強度が向上するから、端子ねじの締め付け時に接地端子板が変形しにくくなる。
【００４３】
請求項５の発明によれば、各脚部と本体部とにそれぞれ連結された梁部と、梁部から接地端子収納凹部の底面に近づく方向に延長された部位が曲げ起こされることによって形成された仕切り部とを有するので、梁部を設けない場合に比べ、接地端子板の機械的強度が向上するから、端子ねじの締め付け時に接地端子板が変形しにくくなる。
【発明を実施するための最良の形態】
【００４４】
以下、本発明を実施するための最良の形態について、図面を参照しながら説明する。
【００４５】
なお、以下の各実施形態の基本構成はそれぞれ従来例と共通であるので、共通する部分については同じ符号を付して図示並びに説明を省略する。
【００４６】
（実施形態１）
本実施形態は、図２に示すように、接地導電板５ｃの端子連結部５５の左右方向の中央部から仕切り部５６が前方（図２における上方）に突設されていることを特徴とする。仕切り部５６は、図１及び図３に示すように、下側の接地栓刃挿入口１０ｃと接地端子２との間に位置する。
【００４７】
また、仕切り部５６は、全体として前方へ向かって上方へ傾斜し、接地栓刃挿通凹部１０ｄすなわち下側の接地栓刃挿入口１０ｃの内側へ弾性的に突出しており、下側の接地栓刃挿入口１０ｃに挿入された接地極の栓刃Ｐｃに弾接して接地側刃受け部としても機能する。さらに、仕切り部５６の前端部（図１における上端部）は僅かに下方へ曲げられることにより、前方へ向かって下方（図１における右方）へ傾斜したガイド部５６ａとなっている。すなわち、ガイド部５６ａの上面によって接地極の栓刃Ｐｃがガイドされるから、図４（ａ）に示すようにガイド部５６ａを設けない場合に比べて栓刃Ｐｃの挿入が容易となる。なお、ガイド部５６ａを設ける方法としては、図４（ｂ）に示すようにガイド部５６ａの先端の厚さ寸法を薄くするような面取りを施すという方法もあるが、図４（ｃ）に示すように曲げ加工を用いる方法が比較的に容易である。
【００４８】
上記構成によれば、接地栓刃挿入口１０ｃへの接地線ＥＣの進入が仕切り部５６によって阻止されるから、接地線ＥＣによって栓刃Ｐｃの挿入が妨げられることを防ぐことができる。
【００４９】
なお、本実施形態においては仕切り部５６が栓刃Ｐｃをガイドすることにより扉体３のガイド突起３６が不要となっているので、図５に示すように、扉体３のガイド突起３６を省略してもよい。この構成を採用すれば、扉体３の開閉の邪魔にならない範囲で仕切り部５６をより前方（図５の上方）へ延長することができ、これによって扉体３を開いた状態で接地線ＥＣが仕切り部５６を乗り越えることをより確実に防ぐことができる。
【００５０】
また、既に述べたように仕切り部５６は接地極の栓刃Ｐｃに弾接する接地刃受け部としても機能するので、本実施形態においては図６に示すように下側（図６における右側）の刃受け部５３を省略してもよい。この構成を採用すれば、接地導電板５ｃの形状が単純化されることにより製造コストの低減が可能となる。
【００５１】
（実施形態２）
本実施形態では、図７に示すように、接地端子板２１に、上側（図７における紙面手前側）の脚部２１ｃの中央部を分断する形で、上方へ突出して先部が前方（図７における上方）へ曲がった断面Ｌ字形状の仕切り部２１ｊが、切り起こしによって設けられている。仕切り部２１ｊは、図８に示すように下側の接地栓刃挿入口１０ｃと接地端子２との間に位置する。
【００５２】
上記構成によれば、接地栓刃挿入口１０ｃへの接地線ＥＣの進入が仕切り部２１ｊによって阻止されるから、接地線ＥＣによって栓刃Ｐｃの挿入が妨げられることを防ぐことができる。
【００５３】
なお、図９に示すように、仕切り部２１ｊを全体として前方（図９の上方）へ向かって上方（図９の左方）へ傾斜させて仕切り部２１ｊを接地栓刃挿入口１０ｃの内側へ弾性的に突出させ接地極の栓刃Ｐｃに弾接可能とするとともに、仕切り部２１ｊの前端部に、前方へ向かって下方へ傾斜したガイド部２１ｌを設けてもよい。この構成を採用すれば、仕切り部２１ｊが接地刃受け部５３として機能するから、図１０に示すように下側の接地刃受け部５３を省略して接地導電板５ｃを単純な形状とすることにより製造コストを低減することができる。また、ガイド部２１ｌを設けない場合に比べて接地栓刃挿入口１０ｃへの栓刃Ｐｃの挿入が容易となる。また、図９の構成では、扉体３のガイド突起３６を省略して仕切り部２１ｊを前方（図９の上方）へ延長していることにより、扉体３を開いた状態で接地線ＥＣが仕切り部２１ｊを乗り越えることをより確実に防いでいる。
【００５４】
さらに、図１１に示すように、仕切り部２１ｊを、脚部２１ｃに貫通穴が形成される形で、言い換えると仕切り部２１ｊの後側（図１１における下側であり、すなわち接地端子収納凹部１２の底面に近い側）に梁部２１ｍが形成される形で切り起こしてもよい。この構成を採用すれば、梁部２１ｍによって接地端子板２１の機械的強度が向上し、端子ねじ２２の締め付け時に接地端子板２１の折れ曲がりなどが発生しにくくなる。
【００５５】
また、仕切り部２１ｊを形成する方法は切り起こしに限られず、例えば図１２や図１３に示すように、金属板の打ち抜き時に取付部２１ｇよりも延長された部位を取付部２１ｇ間に形成しておき、これを曲げ起こすことによって仕切り部２１ｊを形成してもよい。図１２や図１３の構造においても、図１１の構造と同様に接地端子板２１の機械的強度を確保することができる。
【００５６】
（実施形態３）
本実施形態では、図１４に示すように、座金２３に、上端部であって左右方向の中央部から後方に突出する仕切り部２３ｅが、曲げ起こしによって形成されている。
【００５７】
仕切り部２３ｅは、図１５に示すように接地栓刃挿入口１０ｃの下側に位置し、接地栓刃挿入口１０ｃへの接地線ＥＣの進入を阻止する。
【００５８】
上記構成によれば、接地栓刃挿入口１０ｃへの接地線ＥＣの進入が仕切り部２３ｅによって阻止されるから、接地線ＥＣによって栓刃Ｐｃの挿入が妨げられることを防ぐことができる。
【００５９】
なお、図１６に示すように、仕切り部２３ｅの形状を、後方（図１６の下方）へ向かって上方（図１６の左方）へ傾斜した形状とし、仕切り部２３ｅの先端を接地栓刃挿入口１０ｃ内へ弾性的に突出させて接地極の栓刃Ｐｃに弾接可能としてもよい。この構成を採用すれば、座金２３の仕切り部２３ｅが接地刃受け部として機能するから、実施形態２において図９に示したように接地導電板５ｃの下側の接地刃受け部５３を省略して製造コストを低減することができる。また、傾斜した仕切り部２３ｅが栓刃Ｐｃをガイドすることにより、接地栓刃挿入口１０ｃへの栓刃Ｐｃの挿入が容易となる。
【００６０】
また、実施形態１乃至本実施形態のうち複数の構成を組み合わせて採用してもよい。すなわち、接地導電板５ｃと、接地端子板２１と、座金２３との複数にそれぞれ仕切り部５６，２１ｊ，２３ｅを設けてもよい。
【図面の簡単な説明】
【００６１】
【図１】本発明の実施形態１の要部を示す断面図である。
【図２】同上の接地導電板を示す斜視図である。
【図３】同上において扉体を取り外した状態の要部を示す正面図である。
【図４】（ａ）〜（ｃ）はそれぞれ同上の仕切り部の形状の例を示す側面図である。
【図５】同上の別の形態の要部を示す断面図である。
【図６】同上の更に別の形態の接地導電板を示す斜視図である。
【図７】本発明の実施形態２の接地端子板を示す斜視図である。
【図８】同上において扉体を取り外した状態の要部を示す正面図である。
【図９】同上の別の形態の要部を示す断面図である。
【図１０】同上の更に別の形態の接地導電板を示す斜視図である。
【図１１】同上の別の形態の接地端子板を示す斜視図である。
【図１２】同上の更に別の形態の接地端子板を示す斜視図である。
【図１３】同上の別の形態の要部を示す断面図である。
【図１４】本発明の実施形態３の座金を示す斜視図である。
【図１５】同上において扉体を取り外した状態の要部を示す正面図である。
【図１６】同上の別の形態の要部を示す断面図である。
【図１７】従来例を示す正面図である。
【図１８】同上において扉体を取り外した状態を示す正面図である。
【図１９】同上を示す分解斜視図である。
【図２０】同上の電圧側導電板と接地側導電板と鎖錠ばねとを示す斜視図である。
【図２１】同上の接地導電ブロックを示す分解斜視図である。
【図２２】同上のボディと解除釦とを示す斜視図である。
【図２３】同上のカバーと扉体とを示す斜視図である。
【図２４】同上の要部を示す断面図である。
【図２５】同上の課題を示す説明図である。
【符号の説明】
【００６２】
１  ハウジング
２  接地端子
３  扉体
１０ｃ  接地栓刃挿入口
１２  接地端子収納凹部
２１ｊ  仕切り部
２１ｌ  ガイド部
２３ｅ  仕切り部
５６  仕切り部
５６ａ  ガイド部
ＥＢ  接地導電ブロック
ＥＣ  接地線
Ｐｃ  栓刃
【図１】
2008186638.tif 000003
【図２】
2008186638.tif 000004
【図３】
2008186638.tif 000005
【図４】
2008186638.tif 000006
【図５】
2008186638.tif 000007
【図６】
2008186638.tif 000008
【図７】
2008186638.tif 000009
【図８】
2008186638.tif 000010
【図９】
2008186638.tif 000011
【図１０】
2008186638.tif 000012
【図１１】
2008186638.tif 000013
【図１２】
2008186638.tif 000014
【図１３】
2008186638.tif 000015
【図１４】
2008186638.tif 000016
【図１５】
2008186638.tif 000017
【図１６】
2008186638.tif 000018
【図１７】
2008186638.tif 000019
【図１８】
2008186638.tif 000020
【図１９】
2008186638.tif 000021
【図２０】
2008186638.tif 000022
【図２１】
2008186638.tif 000023
【図２２】
2008186638.tif 000024
【図２３】
2008186638.tif 000025
【図２４】
2008186638.tif 000026
【図２５】
2008186638.tif 000027